(57)【要約】【課題】別途、補強部材を設けることなく被運搬物に作用する衝撃を緩和しやすくすることにある。【解決手段】被運搬物を運搬する際に用いる運搬容器１であって、底部２と、側壁部３と、蓋部材４と、を備えている。側壁部３は、底部２に対して略直交するように底部２から延び、被運搬物によって所定量以上の衝撃が加えられた際に変形することで被運搬物に作用する衝撃を緩和する緩衝部を有する。蓋部４は、側壁部３に接続されている。【選択図】      図１
2008207835.tif 000002
【特許請求の範囲】
【請求項１】
被運搬物を運搬する際に用いる運搬容器であって、
底部と、
前記底部に対して略直交するように前記底部から延び、前記被運搬物によって一定以上の衝撃が加えられた際に変形することで前記被運搬物に作用する衝撃を緩和する緩衝部を有する側壁部と、
前記側壁部に接続された蓋部と、
を備えた運搬容器。
【請求項２】
前記側壁部の緩衝部は、前記底部に交差する方向に荷重が作用する際に、前記底部及び前記蓋部を支持する、
請求項１に記載の運搬容器。
【請求項３】
前記側壁部は、複数の壁部を有しており、
前記緩衝部は、前記側壁部を内側に向かって折り曲げることで形成されている、
請求項１または２に記載の運搬容器。
【請求項４】
前記緩衝部は、対向する前記壁部に設けられている、
請求項３に記載の運搬容器。
【請求項５】
前記蓋部は、対向する前記壁部の最も内側に位置する部分よりも外方まで延びている、
請求項４に記載の容器。
【請求項６】
前記底部は、
第１端部と、
前記第１端部に対向するように配置された第２端部と、
前記第１端部と前記第２端部との一端側に設けられ、略Ｖ字状に内側に向かって突出するように形成された第３端部と、
前記第３端部に対向して配置され、前記第１端部と前記第２端部との他端側に設けられ、略Ｖ字状に内側に向かって突出するように形成された第４端部と、を有する、
請求項１から５のいずれかに記載の運搬容器。
【請求項７】
前記側壁部は、
前記第１端部から前記底部に略直交するように延びる第１壁部と、
前記第２端部から前記底部に略直交するように延びる第２壁部と、
前記第１壁部と前記第２壁部との一端側に接続される第３壁部と、
前記第１壁部と前記第２壁部との他端側に接続されている第４壁部と
を有している、
請求項６に記載の運搬容器。
【発明の詳細な説明】
【技術分野】
【０００１】
本発明は、被運搬物を運搬する際に用いられる運搬容器に関する。
【背景技術】
【０００２】
運搬容器は、底部と、側壁部と、蓋部とを備えている。底部は被運搬物の下側に位置するように配置されている。側壁部は、底部から略直交する方向に延びる部分である。蓋部は、側壁部に接続され、底面に対向するように配置されている。
【０００３】
ここで、被運搬物の形状や重さなどによっては、局部的に補強の必要がある場合がある。例えば、容器が全体として直方体状であり４隅を補強する必要がある場合には、ボール紙を折り曲げて形成した補強部を４隅に配置している（特許文献１参照）。
【特許文献１】実公平４−６２６１５号公報
【発明の開示】
【発明が解決しようとする課題】
【０００４】
特許文献１に記載の運搬容器では、４隅を補強するためにボール紙が必要である。また、衝撃が作用する場合に側壁部が被運搬物に作用する衝撃を緩和しにくくなっている。このために、運搬容器に被運搬物を収容した状態で運搬容器を落とした場合などに被運搬物に衝撃が作用しやすくなる。
【０００５】
本発明の課題は、別途、補強部材を設けることなく被運搬物に作用する衝撃を緩和しやすくすることにある。
【課題を解決するための手段】
【０００６】
請求項１に係る運搬容器は、被運搬物を運搬する際に用いる運搬容器であって、底部と、側壁部と、蓋部と、を備えている。側壁部は、底部に対して略直交するように底部から延び、被運搬物によって所定量以上の衝撃が加えられた際に変形することで被運搬物に作用する衝撃を緩和する緩衝部を有する。蓋部は、側壁部に接続されている。
【０００７】
この運搬容器では、被運搬物の運搬時には底面と側壁部とによって囲まれる空間に被運搬物を収容し、運搬を行う。このとき、被運搬物によって側壁部に一定以上の衝撃が加えられると、変形して被運搬物に作用する衝撃を緩和する。
【０００８】
ここでは、被運搬物によって側壁部に衝撃が加えられる場合、例えば被運搬物を内部に収納した状態で運搬容器を落とした場合には、側壁部が変形することによって被運搬物に作用する衝撃が緩和される。
【０００９】
請求項２に係る運搬容器は、請求項１に記載の運搬容器であって、側壁部の緩衝部は、底部に交差する方向に荷重が作用する際に、底部及び蓋部を支持する。
【００１０】
ここでは、底部に交差する方向に荷重が作用する際には、緩衝部によって底部及び蓋部が支持されるために底部に交差する方向の強度が増加する。
【００１１】
請求項３に係る運搬容器は、請求項１または２に記載の運搬容器であって、側壁部は、複数の壁部を有しており、緩衝部は、側壁部を内側に向かって折り曲げることで形成されている。
【００１２】
ここでは、被運搬物によって側壁部に衝撃が加えられる際には、側壁部の折り曲げられている部分が変形することで衝撃を吸収すると共に被運搬物を支持する。このために、運搬時に被運搬物が運搬容器内で移動しにくく、かつ運搬容器の落下などの際には被運搬物に衝撃が作用しにくくすることができる。
【００１３】
請求項４に係る運搬容器は、請求項３に記載の運搬容器であって、緩衝部は、対向する壁部に設けられている。
【００１４】
請求項５に係る運搬容器は、請求項４に記載の運搬容器であって、蓋部は、対向する壁部の最も内側に位置する部分よりも外方まで延びている。
【００１５】
ここでは、対向する壁部に折り曲げられている部分の先端で蓋部を支持する。
【００１６】
請求項６に係る運搬容器は、請求項１から５のいずれかに記載の運搬容器であって、底部は、第１端部と、第２端部と、第３端部と、第４端部とを有する。第２端部は、第１端部に対向するように配置されている。第３端部は、第１端部と第２端部との一端側に設けられ、略Ｖ字状に内側に向かって突出するように折り曲げられている。第４端部は、第３端部に対向して配置され、第１端部と第２端部との他端側に設けられ、略Ｖ字状に内側に向かって突出するように折り曲げられている。
【００１７】
請求項７に係る運搬容器は、請求項６に記載の運搬容器であって、側壁部は、第１端部から底部に略直交するように延びる第１壁部と、第２端から底部に略直交するように延びる第２壁部とをさらに有し、第１側壁部は第１壁部と第２壁部との一端側に接続されており、第２側壁部は第１壁部と第２壁部との他端側に接続されている。
【発明の効果】
【００１８】
本発明では、別途、補強部材を設けることなく被運搬物に作用する衝撃を緩和しやすくすることができる。
【発明を実施するための最良の形態】
【００１９】
１．構成
図１及び図２に本発明の一実施形態に係る運搬容器１を示す。この運搬容器１は、内部に被運搬物、例えば電子機器の部品やトナーカートリッジなどを入れて運搬可能なものであって、ダンボール紙によって形成されている。また、運搬容器１は、箱状に形成されており、底部２と、側壁部３と、蓋部材４と、を有している。なお、図１は運搬容器１の組立てられた後の図であり、図２は本発明に係る運搬容器１の展開図である。
【００２０】
底部２は、被運搬物の下側に配置される部分であって、図３及び図４に示すように、第１底部２１と、第２底部２２と、第３底部２３と、第４底部２４と、第５底部２５と、第６底部２６とを有している。ここで、図３は図１の状態の運搬容器１の蓋部材４を開けている状態を示す図である。第１底部２１は、第１端部２１１を有する部分であって、第１端部２１１を底辺とする略台形状の板状の部分である。第１底部２１は、第１端部２１１に対向する位置に第１係止部２１２を有している。第２底部２２は、第１底部２１に対向する位置に設けられており、第１端部２１１と平行な第２端部２２１を有する。また、第２底部２２は、第２端部２２１を底辺とする略台形状に形成された部分であって、第１係止部２１２と互いに係止可能な第２係止部２２２を有している。第３底部２３は、第２底部２２の上側に配置される部分であって、略三角形状の板状の部分である。第４底部２４は、第２係止部２２２と互いに係止可能な第３係止部２４２を有する部分であって、第２底部２２の上側に配置される部分である。なお、第３底部２３と第４底部２４とは、第１端部２１１と第２端部２２１との一端に接続された第３端部２３１を有している。この第３端部２３１は、略Ｖ字状に内側に向かって突出するように形成されている。第５底部２５は、第３底部２３に対向するように配置されており、略三角形状の部分である。また、第５底部２５は、第２底部２２の上側に配置されている。第６底部２６は、第２係止部２２２と互いに係止可能な第４係止部２６１を有しており、第１底部２１の上側に配置されている。なお、第５底部２５と第６底部２６とは、第３端部２３１に対向し第１端部２１１及び第２端部２２１の他端に接続された第４端部２５１を有している。この第４端部２５１は略Ｖ字状に内側に向かって突出するように形成されている。
【００２１】
側壁部３は、底部２に略直交する用に設けられた部分であって、第１壁部３１と、第２壁部３２と、第３壁部３３と、第４壁部３４とを有している。第１壁部３１は、第１端部２１１から延びており、長方形状の板状の部分である。また、第１壁部３１の側部には第１壁部３１の端部を第４壁部３４に接続させるための接続部３１１が形成されている（図２参照）。第２壁部３２は、第１壁部３１に対向するように配置されており、第２端部２２１から延びる板状の部分である。また第２壁部３２は、長方形状の板状の部分であって、上端の近傍から後述する第２蓋部４２まで延び、後述する第１スリット４１２に挿入可能な差し込み部３２１が形成されている。第３壁部３３は、第１壁部３１及び第２壁部３２の一端に接続されており、第３端部２３１から延びている部分である。また第３壁部３３は、緩衝部として機能するように略Ｖ字状に内側に向かって突出するように折り曲げられた部分であって、内側先端は蓋部材４の下側に位置している。第４壁部３４は、第３壁部３３に対向するように配置されており、第１壁部３１及び第２壁部３２の他端に接続されている。また第４壁部３４は、第４端部２５１から延びており、緩衝部として機能するように略Ｖ字状に内側に向かって突出するように折り曲げられている。この第４壁部３４の内側先端は蓋部材４の下側に位置している。
【００２２】
蓋部材４は、底部２に対向するように配置された部分であって、第１蓋部４１と、第２蓋部４２と、第３蓋部４３と、第４蓋部４４と、第５蓋部４５と、第６蓋部４６とを有している。第１蓋部４１は、第１壁部３１に接続されており、長方形状の板状の部分である。第１蓋部４１は、第１壁部３１と接続されている側に対向する面から延びる板状部４１３を有しており、この板状部４１３と第１壁部３１との接続部分には円形の孔４１１が形成されている。また、第１壁部３１と板状部４１３との接続部分には板状部４１３の先端が差し込み可能な第１スリット４１２が形成されている。第２蓋部４２は、第２壁部３２の上面に接続された部分であって、第１蓋部４１と重ねて配置される。また、第２蓋部４２は長方形の板状の部分である。さらに、第２蓋部４２と第２壁部３２との接続部３１１には差し込み部３２１が挿入可能な第２スリット４２１が設けられている。第３蓋部４３及び第４蓋部４４は、第３壁部３３の上面に接続されており、略三角形状の板状の部材である。第５蓋部４５及び第６蓋部４６は、第４壁部３４の上面に接続されており、略三角形状の板状の部材である。
【００２３】
２．動作
運搬容器１を用いて被運搬物を運搬する際には、先ず運搬容器１を組立てる必要がある。運搬容器１を組み立てる際には、接続部を第４壁部３４に接続し、底部２を組み立てる。具体的には、第１底部２１の上側に第３底部２３及び第５底部２５を配置し、第１底部２１と第４底部２４及び第６底部２６とを重ねた状態にする。そして、第２底部２２の第２係止部を第１係止部２１２及び第３係止部２４２及び第４係止部２６１に互いに係止するように位置させる。このように底部２を形成する段階、より詳細には、第１係止部２１２と第２係止部２２２とを互いに係止させる段階で、第３壁部３３及び第４壁部３４を内側が突出するように折り曲げる。この後、被運搬物を側壁部によって囲まれた空間に収納する。そして、第３蓋部４３及び第４蓋部４４と第５蓋部４５及び第６蓋部４６をそれぞれ内側に折り曲げる。その後、第２蓋部４２を折り曲げ、第２蓋部４２に重なるように第１蓋部４１を折り曲げる。このとき、板状部４１３を第１スリット４１２に挿入し、差し込み部３２１を第２スリット４２１に挿入する。
【００２４】
ここでは、被運搬物によって側壁部３に衝撃が加えられる場合、例えば被運搬物を内部に収納した状態で運搬容器１を落とした場合には、第３壁部３３及び第４壁部３４の折り曲げた部分が変形することによって衝撃を吸収し、被運搬物に作用する衝撃を緩和することができる。また、内側に突出するように折り曲げられているために内側から外側に作用する荷重に対する強度を高めることができる。さらに、底部２に交差する方向の力が作用する際に第３壁部３３及び第４壁部３４の折り曲げた部分が底部２及び蓋部材４を支持することによって、底部２に略直交する方向の強度が増す。
【００２５】
３．他の実施形態
（ａ）上記実施形態では、第１蓋部４１に板状部４１３などを設けスリットこの板状部４１３などを差し込むことで蓋部材４を側壁部３に固定したが、本発明はこれに限らずに、テープなどによって固定しても良い。
【００２６】
（ｂ）上記実施形態では、ダンボールによって形成したが、本発明はこれに限られずに、他の紙製部材によって形成しても良い。
【図面の簡単な説明】
【００２７】
【図１】本発明の一実施形態に係る運搬容器の全体図。
【図２】運搬容器の展開図。
【図３】運搬容器の蓋部を空けた状態を示す図。
【図４】運搬容器を底側から見た際の図。
【符号の説明】
【００２８】
１  運搬容器
２  底部
３  側壁部
４  蓋部材
３１  第１壁部
３２  第２壁部
３３  第３壁部
３４  第４壁部
２１１  第１端部
２２１  第２端部
２３１  第３端部
２５１  第４端部
【図１】
2008207835.tif 000003
【図２】
2008207835.tif 000004
【図３】
2008207835.tif 000005
【図４】
2008207835.tif 000006